(57)【要約】【課題】顔及び撮影装置と光源との関係を一定に保つことができる撮影装置及び撮影方法を提供すること。【解決手段】本発明にかかる撮影装置１は、顔角度検出部１０１と、撮影装置角度検出部１０２と、撮影機会検出部１０３とを備えている。顔角度検出部１０１は、撮影装置１に対する被写体の顔の角度を検出する。撮影装置角度検出部１０２は、重力方向に対する撮影装置１の角度を検出する。撮影機会検出部１０３は、顔角度検出部１０１が検出した顔の角度及び撮影装置角度検出部１０２が検出した撮影装置１の角度に基づいて、撮影機会を検出する。【選択図】図１
2011041133.tif 000002
【特許請求の範囲】
【請求項１】
撮影装置に対する顔の角度を検出する第１の角度検出部と、
重力方向に対する前記撮影装置の角度を検出する第２の角度検出部と、
検出された前記撮影装置に対する顔の角度と、検出された前記重力方向に対する前記撮影装置の角度と、に基づいて、撮影機会を検出する撮影機会検出部と、
を備える撮影装置。
【請求項２】
前記撮影機会検出部は、前記第１の角度検出部が検出した前記撮影装置に対する顔の角度と、所定の前記撮影装置に対する顔の角度の情報と、の比較結果、及び、前記第２の角度検出部が検出した前記重力方向に対する前記撮影装置の角度と、所定の前記重力方向に対する前記撮影装置の角度の情報と、の比較結果、に基づき、前記撮影機会を検出する請求項１に記載の撮影装置。
【請求項３】
前記撮影装置は、撮影された画像に基づき抽出された前記撮影装置に対する顔の角度の情報及び前記重力方向に対する前記撮影装置の角度の情報と、撮影された画像の情報と、を関連付けて記憶する関連記憶部をさらに備える請求項１または２に記載の撮影装置。
【請求項４】
前記所定の前記撮影装置に対する顔の角度の情報及び前記所定の前記重力方向に対する撮影装置の角度の情報は、予め撮影された画像に基づき抽出された前記撮影装置に対する顔の角度の情報及び前記重力方向に対する前記撮影装置の角度の情報である請求項２または３に記載の撮影装置。
【請求項５】
前記撮影機会検出部の検出結果に基づいて、前記撮影機会を撮影者に通知する手段をさらに備える請求項１〜４のいずれか一項に記載の撮影装置。
【請求項６】
前記撮影機会検出部の検出結果に基づいて、前記撮影者に対して、前記顔の角度及び前記撮影装置の角度を誘導する手段をさらに備える請求項１〜５のいずれか一項に記載の撮影装置。
【請求項７】
前記撮影装置は、前記撮影機会検出部の検出結果に基づいて、自動で撮影を行う手段をさらに備える請求項１〜６のいずれか一項に記載の撮影装置。
【請求項８】
前記撮影装置の撮影範囲に、顔が含まれていることを検出する顔検出部をさらに備える請求項１〜７のいずれか一項に記載の撮影装置。
【請求項９】
撮影装置に対する顔の角度を検出するステップと、
重力方向に対する前記撮影装置の角度を検出するステップと、
検出された前記撮影装置に対する顔の角度と、検出された前記重力方向に対する前記撮影装置の角度と、に基づいて、撮影機会を検出するステップと、
を備える撮影方法。
【請求項１０】
前記撮影機会を検出するステップは、
検出された前記撮影装置に対する顔の角度と、所定の前記撮影装置に対する顔の角度の情報と、を比較するステップと、
検出された前記重力方向に対する前記撮影装置の角度と、所定の前記重力方向に対する前記撮影装置の角度の情報と、を比較するステップと、を備え、
前記撮影装置に対する顔の角度を比較するステップの比較結果と、前記重力方向に対する前記撮影装置の角度を比較するステップの比較結果と、に基づき、前記撮影機会を検出する請求項９に記載の撮影方法。
【請求項１１】
前記所定の前記撮影装置に対する顔の角度の情報及び前記所定の前記重力方向に対する前記撮影装置の角度の情報は、予め撮影された画像に基づき抽出された前記撮影装置に対する顔の角度の情報及び前記重力方向に対する前記撮影装置の角度の情報である請求項１０に記載の撮影方法。
【請求項１２】
前記撮影機会を検出するステップの検出結果に基づいて、前記撮影機会を撮影者に通知するステップをさらに備える請求項９〜１１のいずれか一項に記載の撮影方法。
【請求項１３】
前記撮影機会を検出するステップの検出結果に基づいて、撮影者に対して、前記撮影装置に対する顔の角度及び前記重力方向に対する前記撮影装置の角度を誘導するステップをさらに備える請求項９〜１２のいずれか一項に記載の撮影方法。
【請求項１４】
前記撮影機会を検出するステップの検出結果に基づいて、前記撮影装置が自動で撮影を行うステップをさらに備える請求項９〜１３のいずれか一項に記載の撮影方法。
【請求項１５】
前記撮影装置の撮影範囲に、顔が含まれていることを検出するステップをさらに備える請求項９〜１４のいずれか一項に記載の撮影方法。
【発明の詳細な説明】
【技術分野】
【０００１】
本発明は撮影装置及び撮影方法に関し、特に自分自身を撮影する撮影装置及び撮影方法に関する。
【背景技術】
【０００２】
自分自身を撮影する場合に、光源との関係、カメラとの関係を変化させて写り方をよくするために、あえて上方向からカメラを自分に向けて撮影する（図１９）、または下方向からカメラを自分に向けて撮影する（図２０）方法がある。これらの方法では、撮影者と被写体が同じであるため、ライブビュー画面を見ることができない。そのため、撮影者は、自分自身の感覚でカメラ及び顔の角度を調整して撮影していた。
【０００３】
一方、特許文献１には、カメラ付きの携帯電話を用いて自分撮りを行う場合に、当該携帯電話を回転させることで、シャッターレリーズ操作が行われ、シャッター操作が行われる直前の画像を保存することができる技術が開示されている。また、特許文献２には、顔を固定することで、カメラの位置及び角度の調整のみで、前回の撮影時と同じ状況で撮影が可能な技術が開示されている。
【先行技術文献】
【特許文献】
【０００４】
【特許文献１】特開２００９−０３３５６６号公報
【特許文献２】特開２００８−１６１３２２号公報
【発明の概要】
【発明が解決しようとする課題】
【０００５】
しかしながら、特許文献２の技術は、カメラと顔の高さは一定であるため、あえて上方向または下方向から撮影することはできない。また、特許文献１に開示された技術では、シャッター操作の際にボタンを押す必要がないため、容易に撮影することができるが、自分自身の感覚を頼りにカメラ及び顔の角度を調整しなければならないため、良い写真を撮ることが難しく、数回の撮り直しが必要なことがあった。したがって、良い角度で写真が撮影できたとしても、目の開き具合や髪の毛などの被写体の変化により再度撮影が必要となる場合に、良い角度での撮影状況を再現するのは難しく、失敗を繰り返すことがあるという問題点があった。
【０００６】
本発明は、このような問題点を解決するためになされたものであり、被写体の顔及び撮影装置と光源との関係を一定に保つことができる撮影装置及び撮影方法を提供することを目的としている。
【課題を解決するための手段】
【０００７】
本発明にかかる撮影装置は、撮影装置に対する顔の角度を検出する第１の角度検出部と、重力方向に対する前記撮影装置の角度を検出する第２の角度検出部と、検出された前記撮影装置に対する顔の角度と、検出された前記重力方向に対する撮影装置の角度と、に基づいて、撮影機会を検出する撮影機会検出部と、を備えるものである。
【０００８】
本発明にかかる撮影方法は、撮影装置に対する顔の角度を検出するステップと、重力方向に対する前記撮影装置の角度を検出するステップと、検出された前記撮影装置に対する顔の角度と、検出された前記重力方向に対する前記撮影装置の角度と、に基づいて、撮影機会を検出するステップと、を備えるものである。
【発明の効果】
【０００９】
本発明により、被写体の顔及び撮影装置と、光源との関係を一定に保つことができる撮影装置及び撮影方法を提供することができる。
【図面の簡単な説明】
【００１０】
【図１】実施の形態１にかかる撮影装置の構成例の図である。
【図２】実施の形態１にかかる重力方向に対する撮影装置の角度及び撮影装置に対する顔の角度の説明図である。
【図３】実施の形態２にかかる撮影装置の構成例の図である。
【図４】実施の形態２にかかる所定の角度の設定方法のフローチャートである。
【図５】実施の形態３にかかる撮影装置の構成例の図である。
【図６】実施の形態３にかかる携帯電話機の構成例の図である。
【図７】実施の形態３にかかる携帯電話機の外観図である。
【図８】実施の形態３にかかる撮影方法のフローチャートである。
【図９】実施の形態３にかかる撮影方法のフローチャートである。
【図１０】実施の形態４にかかる携帯電話機の構成例の図である。
【図１１】実施の形態４にかかる撮影方法のフローチャートである。
【図１２】実施の形態４にかかる撮影方法のフローチャートである。
【図１３】実施の形態４にかかる携帯電話機の角度に基づくガイドの説明である。（ａ）は、重力方向軸に対する携帯電話機の角度が、設定角度よりも小さい場合であり、（ｂ）は、設定角度よりも大きい場合である。
【図１４】実施の形態４にかかる被写体の顔の角度に基づくガイドの説明である。（ａ）は、携帯電話機の軸に対する被写体の顔の角度が、設定角度よりも小さい場合である。（ｂ）は、設定角度よりも大きい場合である。
【図１５】実施の形態４にかかる携帯電話機の構成例の図である。
【図１６】実施の形態４にかかる撮影方法のフローチャートである。
【図１７】実施の形態５にかかる撮影装置の構成例の図である。
【図１８】実施の形態５にかかる撮影方法のフローチャートである。
【図１９】上方向から撮影する場合を説明するための図である。
【図２０】下方向から撮影する場合を説明するための図である。
【発明を実施するための形態】
【００１１】
実施の形態１
以下、図面を参照して本発明の実施の形態について説明する。図１は、実施の形態１にかかる撮影装置１の構成例である。撮影装置１は、顔角度検出部１０１、撮影装置角度検出部１０２、撮影機会検出部１０３を備えている。
【００１２】
顔角度検出部１０１（第１の角度検出部）は、撮影装置１に対する被写体の顔の角度（以下、顔の角度と称す。）を検出し、撮影装置角度検出部１０２（第２の角度検出部）は、重力方向に対する撮影装置１の角度（以下、撮影装置の角度と称す。）を検出する。また、撮影機会検出部１０３は、顔角度検出部１０１及び撮影装置角度検出部１０２が検出した角度情報に基づいて、撮影機会、すなわちシャッターチャンスを検出する。
【００１３】
図２を用いてそれぞれの角度について詳しく説明する。図２は、被写体１０が、撮影装置１を用いて自分自身を撮影する場合を示した図である。撮影装置角度検出部１０２は、重力方向の軸ｇに対する撮影装置１の角度ａ１を検出する。このときの撮影装置１の軸を軸ｆとする。また、顔角度検出部１０１は、撮影装置１の軸ｆに対する被写体１０の顔の角度ａ２を検出する。このとき、撮影装置１に対する顔の角度ａ２は、１次元の軸ｆに対する角度に限られたものでなく、２次元、３次元の軸に対する角度を検出してもよい。
【００１４】
このとき、顔の角度ａ２は、被写体１０の顔が撮影装置１に対して、どのような顔の向きで写るのかを決定するものである。また、撮影装置１の角度ａ１は、任意の位置にある光源により被写体１０がどのように照らされるのか、つまり、被写体１０と光源との関係を決定するものである。
【００１５】
ここで、撮影装置１の動作例について説明する。撮影装置１を用いて撮影をする場合に、顔角度検出部１０１及び撮影装置角度検出部１０２は、それぞれ顔の角度ａ２及び撮影装置１の角度ａ１を検出する。そして、撮影機会検出部１０３が、検出された顔の角度ａ２及び撮影装置１の角度ａ１に基づいて、シャッターチャンスを検出する。例えば、予め設定された顔の角度及び撮影装置１の角度と、検出された顔の角度及び撮影装置１の角度を比較して、その比較結果に基づいて、シャッターチャンスを検出する。ここで、比較結果に基づいてとは、検出された顔の角度及び撮影装置の角度と、予め設定された顔の角度及び撮影装置の角度が一致した場合をシャッターチャンスとしてもよいし、検出された顔の角度及び撮影装置の角度が、予め設定された所定の範囲内となった場合をシャッターチャンスとしてもよい。
【００１６】
このような構成により、顔の向きと光源との関係に基づいて、撮影機会を検出することができ、光源と被写体との関係を一定に保って撮影することができる。
【００１７】
実施の形態２
図３を用いて実施の形態２にかかる撮影装置２について説明する。図３は、撮影装置２の構成例を示す図である。撮影装置２は、図１に示した撮影装置１の構成に加えて、さらに関連記憶部１０４を備えている。
【００１８】
関連記憶部１０４は、画像の撮影の際に検出された顔の角度の情報及び撮影装置２の角度の情報を、当該撮影された画像情報とリンクさせて記憶する。なお、その他の構成は、撮影装置１と同様であるため、説明を省略する。
【００１９】
続いて、本実施の形態にかかる撮影装置２の動作例について説明する。実施の形態１と同様に、撮影する際に、顔角度検出部１０１と撮影装置角度検出部１０２が顔の角度と撮影装置２の角度を検出し、それらに基づいて、撮影機会検出部１０３が、撮影機会を検出し、撮影が行われる。そして、撮影後は、撮影された画像情報とともに、検出された顔の角度情報及び撮影装置２の角度情報が、関連記憶部１０４に記憶される。
【００２０】
このとき、撮影機会検出部１０３は、検出した顔の角度及び撮影装置２の角度との比較対象として、関連記憶部１０４に格納されている予め撮影された画像にリンクされた顔の角度情報及び撮影装置２の角度情報を使用することができる。関連記憶部１０４に記憶された顔の角度及び撮影装置２の角度を比較対象となる所定の角度として使用した場合には、当該記憶された顔の角度及び撮影装置の角度と、検出された顔の角度及び撮影装置２の角度を比較して、その比較結果に基づいて、撮影機会検出部１０３はシャッターチャンスを検出する。
【００２１】
次に、検出された角度の比較対象となる角度情報の設定方法について説明する。図４は、設定方法のフローチャートを示した図である。まず、写真ビューワを起動する（Ｓ１１）。写真ビューワとは、撮影した写真を一覧で確認できる機能のことであり、１枚ずつ確認する機能でも、複数枚を一覧で確認する機能であってもよい。
【００２２】
写真ビューワを起動したあとに、画像の閲覧を行う（Ｓ１２）。１枚ずつ確認する機能でも、複数枚を一覧で確認する機能であってもよいが、選択している画像の角度情報を取り出すため、対応する角度情報がわかるように選択している１枚がわかる機能とする。
【００２３】
撮影者は、画像を閲覧し、写真の撮影状況の良否を判定する（Ｓ１３）。この良否判定は、撮影者の主観で写真の良し悪しを判断する。良否判定を行い、ある写真が良いと判断した場合には、当該良いと判断した写真の画像情報とリンクして格納されている顔の角度情報を、撮影時の比較対象として設定する（Ｓ１４）。同様に、当該良いと判断した画像の撮影装置２の角度情報を、撮影時の比較対象として設定する（Ｓ１５）。このとき、比較対象として設定する所定の角度は、画像情報にリンクした角度情報に限られたものではなく、撮影者が任意に設定できるようにしてもよい。
【００２４】
本実施の形態にかかる撮影装置２の構成により、以前に撮影された画像と同様の撮影状況を再現することができるので、撮影者の任意の撮影状況において、再度の撮影を容易に行うことができる。
【００２５】
実施の形態３
図５は、実施の形態３にかかる撮影装置３の構成例を示す図である。図５に示した撮影装置３は、図３に示した撮影装置２の構成に加えて、さらに撮影機会通知手段１０５を備えている。
【００２６】
撮影機会通知手段１０５は、撮影機会検出部１０３が検出したシャッターチャンスを撮影者に通知するものである。通知方法は、ライトの点灯、音、振動等、撮影者がシャッターチャンスを認識できるものであればよい。なお、その他の構成は、撮影装置２と同様であるため、説明を省略する。
【００２７】
図６に、本実施の形態にかかる撮影装置３の具体的な構成例を示す。図６に示した撮影装置は、カメラ機能付き携帯電話機４であり、ＣＰＵ(Central Processing Unit)４０１、ＲＯＭ(Read Only Memory)４０２、ＲＡＭ(Random Access Memory)４０３、データ処理部４０４、送受信部４０５、キー入力部４０６、液晶表示部４０７、センサ制御部４０８、加速度センサ４０９、カメラ制御部４１０、カメラ４１１、ＬＥＤ(Light Emitting Diode)制御部４１２、ＬＥＤ４１３を備えている。
【００２８】
ＣＰＵ４０１は、携帯電話機４全体の制御を行う処理装置であり、バスを介して携帯電話機４の各部と接続されている。ＲＯＭ４０２は、ＣＰＵ４０１が実行する加速度センサ制御、カメラ制御、ＬＥＤ制御、角度データの保存、読み出しなどの各種制御プログラムや、撮影した写真データ、角度データなどが保存される領域であり、図５に示した撮影装置３の関連記憶部１０４に対応する。ＲＡＭ４０３は、ＣＰＵ４０１が処理を行う上で必要とされる制御プログラム、データを展開する領域である。
【００２９】
また、データ処理部４０４は、ＤＳＰ(Digital Signal Processor)などで構成され、カメラから取り込まれた画像データからの顔検出、カメラから取り込まれた画像データからの顔の角度情報の取得、撮影した写真のエンコード、保存されている写真のデコード、角度情報とのリンク付けなど撮影した写真データの処理を行う処理部である。送受信部４０５は、移動体通信システムにおいて、基地局とのデータ送受信を行う回路であり、音声データ、画像データの送受信を実施する。
【００３０】
キー入力部４０６は、携帯電話機４の使用者から入力されたキー情報を受け取り、ＣＰＵ４０１に伝達する。キー入力部４０６は、例えば、方向入力装置、テンキー、カメラ機能起動キー、カメラ撮影開始キー、メニュー起動キーなどがある。液晶表示部４０７は、ＬＣＤ(Liquid Crystal Display)であり、カメラ機能、カメラライブビュー、カメラ撮影後の確認画像、携帯電話機の各種情報、ユーザーインターフェースなどを表示する。
【００３１】
さらに、センサ制御部４０８は、加速度センサ４０９の制御、および加速度センサ４０９の出力解析を実施する制御部である。加速度センサ４０９は、重力を検出する２次元、または３次元の加速度センサである。加速度センサ４０９は、加速ベクトルの合計から地面に対する姿勢を測定する装置であり、本発明では、重力方向に対する携帯電話機４の角度（以下、携帯電話機の角度と称す。）の検出に用いられ、図５に示した撮影装置３の撮影装置角度検出部１０２に対応する。
【００３２】
カメラ制御部４１０は、カメラの制御、およびカメラの出力データの受け取りを行う制御部である。カメラ４１１は、レンズ、カメラセンサを搭載したカメラモジュールである。カメラセンサは、カメラに対する顔の角度を検出するものであり、図５に示した撮影装置３の顔角度検出部１０１に対応する。
【００３３】
ＬＥＤ制御部４１２は、ＬＥＤ４１３の点灯制御、点滅制御、色制御を行う制御部である。ＬＥＤ４１３は、シャッターチャンスに応じて点灯、点滅等を行うものであり、図５に示した撮影装置３の撮影機会通知手段１０５に対応する。
【００３４】
ここで、図７に本実施の形態にかかる携帯電話機４の外観図を示す。説明のため、液晶表示部４０７が見える側を表、液晶表示部４０７が見えない側を裏としている。上記したように本実施の形態においては、液晶表示部４０７は、ＬＣＤであり、カメラライブビューに使用される。カメラ４１１は、カメラライブビューが確認できる液晶表示部４０７の裏側に搭載されている。
【００３５】
キー入力部４０６は、カメラ撮影のシャッター操作に用いられるため、液晶表示部４０７と同じ側に搭載されている。また、ＬＥＤ４１３は、カメラ撮影中に盗撮防止等の目的で点灯することもあるが、本発明では、被写体、つまり撮影者への通知に使用するため、カメラ４１１と同じ側に搭載されている。
【００３６】
続いて、図６の携帯電話機４を用いた場合の本発明にかかる撮影方法を説明する。図８は、撮影方法のフローチャートを示している。まず、携帯電話機４のカメラ４１１を起動する（Ｓ２１）。この状態は、携帯電話機４のメニューよりカメラ機能を起動した状態である。
【００３７】
カメラ機能を起動したあとに、カメラモジュールからの画像取り込みを開始する（Ｓ２２）。この状態は、液晶表示部４０７にカメラモジュールからの映像が表示されているライブビューの状態である。
【００３８】
その後、取り込んだ画像の顔の角度を検出して、一時的にＲＡＭ４０３に保存する（Ｓ２３）。顔の角度を検出する方法としては、３次元座標を推定する方法や、テンプレートデータとの類似性を求めることで顔の向きを判定する方法などが用いられる。また、加速度センサ４０９を用いて、重力方向に対する携帯電話機４の角度を検出して、ＲＡＭ４０３に一時保存する（Ｓ２４）。
【００３９】
事前に撮影者が撮影した画像を選択して、選択した画像情報にリンクする顔の角度情報及び携帯電話機４の角度情報を、所定の角度として予め設定してあった場合は、顔の角度及び携帯電話機４の角度が検出されると、当該設定された角度情報と、Ｓ２３、Ｓ２４で一時保存した情報とが、一致するかを確認する（Ｓ２５）。
【００４０】
設定された角度情報と、Ｓ２３、Ｓ２４で検出した角度情報が一致した場合には、ＬＥＤ４１３により一致したことを撮影者に通知する（Ｓ２６）。そして、撮影者が撮影キーを押してシャッター操作が行われると、写真の撮影処理が行われ、画像を取得する（Ｓ２７）。このとき、直近にＳ２３、Ｓ２４で取得した角度情報を、撮影画像の角度情報とする。
【００４１】
撮影された画像は、ＪＰＥＧ(Joint Photographic Experts Group)形式や、ＢＭＰ(bitmap)形式等の画像形式でエンコードされる（Ｓ２８）。また、画像の保存の際に、顔の角度及び携帯電話機４の角度を、撮影された画像情報とリンクさせて保存する（Ｓ２９）。画像と角度情報のリンクの方法は、画像のヘッダ情報に追加してもよいし、画像に番号をつけて、番号によるリンクとしてもよく、画像と角度情報が１対１でリンクできる方法であればよい。
【００４２】
このとき、写真にリンクした角度情報を、画像と共に他の携帯電話機に送付し、送付先で見られるようにしてもよい。他の携帯電話機に送付する方法は、赤外線、メール等、画像データを送信する方法であればよい。また、写真にリンクした角度情報そのものを、メール添付してもよい。送付先では、これらの角度情報をお気に入りの角度に設定できるようにしてもよい。
【００４３】
なお、図８では、Ｓ２２で画像を取り込む際に、画像の中に顔があることを前提として次の処理を行っているが、図９に示すように、取込画像に顔があるか否かを検出する（Ｓ３０）顔検出手段をさらに備えて、取り込んだ画像に顔が検出されない場合には、その後の処理を行わないとしてもよい。
【００４４】
本実施の形態にかかる撮影装置を用いることで、検出されたシャッターチャンスを撮影者に通知することができるので、撮影者は、所定の撮影状況における撮影を容易に行うことができる。
【００４５】
実施の形態４
本発明にかかる実施の形態４について説明する。本実施の形態においても、実施の形態３と同様に、撮影装置としてカメラ機能付き携帯電話機５を用いている。図１０は、本実施の形態にかかる携帯電話機５の具体的な構成例を示す図である。携帯電話機５は、図６に示した携帯電話機４のＬＥＤ制御部４１２及びＬＥＤ４１３に替えて、パス制御部４１４及びスピーカー４１５を備えている。
【００４６】
パス制御部４１４は、音声によるガイドを行う際の音声パスを設定する。スピーカー４１５は、音声ガイドを出力する。なお、その他の構成は、図６に示した携帯電話機４と同様であるので、説明を省略する。
【００４７】
続いて、携帯電話機５の動作例を図１１に示したフローチャートを用いて説明する。カメラ起動（Ｓ２１）から、撮影の際に、検出した顔の角度及び携帯電話機５の角度と、予め設定してある顔の角度及び携帯電話機５の角度とが一致するかどうか比較する動作（Ｓ２５）まで、及び、撮影キーが押された後（Ｓ２７）の動作は、図８に示した動作と同様であるので説明を省略する。
【００４８】
検出した角度情報と設定した角度情報とが一致した場合には、スピーカー４１５からビープ音、トーン音等の音により撮影者にシャッターチャンスを通知する（Ｓ３１）。このとき、ＲＯＭ４０２に格納されている一定の音声データの再生でもよい。例えば、"一致しました"などの音声を出力してもよい。
【００４９】
さらに、図１２に示すように、ＬＥＤの点灯及び音声データを用いて、撮影者に対して、顔の角度及び携帯電話機５の角度が、設定した顔の角度及び携帯電話機５の角度と一致するように誘導してもよい（Ｓ３２）。
【００５０】
例えば、図１３（ａ）に示した状況のように、重力方向軸ｇに対する携帯電話機５の角度ａ３が、設定された角度ａ４よりも小さい場合には、ＬＥＤ４１３を特定の色、パターン等で点灯させたり、"カメラをもっと寝かせてください"等の音声データによってガイドしたりしてもよい。また、図１３（ｂ）のように、重力方向軸ｇに対する携帯電話機５の角度ａ３が、設定された角度ａ５よりも大きい場合には、ＬＥＤ４１３を特定の色、パターン等で点灯させたり、"カメラをもっと立ててください"等の音声データによってガイドしたりしてもよい。
【００５１】
一方、図１４（ａ）に示すように、携帯電話機５の軸ｆに対する被写体１０の顔の角度ａ６が、設定された角度ａ７よりも小さい場合は、ＬＥＤ４１３を特定の色、パターン等で点灯させたり、"あごを引いてください"等の音声データによってガイドしたりしてもよい。また、図１４（ｂ）のように、携帯電話機５の軸ｆに対する顔の角度ａ６が、設定された角度ａ８よりも大きい場合には、ＬＥＤ４１３を特定の色、パターン等で点灯させたり、"あごを引きすぎです"等の音声データによってガイドしたりしてもよい。
【００５２】
このとき、図１５に示すように、ＬＥＤ４１３とスピーカー４１５の両方を備える構成としてもよい。この場合には、図１６のフローチャートに示すように、音声ガイド（Ｓ３２）とＬＥＤの点灯による通知（Ｓ２６）の双方を行うことができる。
【００５３】
以上のように、本実施の形態にかかる撮影装置を用いることで、撮影者の感覚でシャッターチャンスを探す必要がないため、所望の撮影状況において、容易に撮影を行うことができる。なお、実施の形態３及び４の説明においては、撮影装置としてカメラ機能付き携帯電話機を示したが、本発明はこれに限られたものではなく、通常のカメラ等の撮影装置にも適用可能である。
【００５４】
実施の形態５
本実施の形態にかかる撮影装置６を図１７に示す。撮影装置６は、図３に示した撮影装置２の構成に加えて、さらに自動撮影手段１０６を備えている。自動撮影手段１０６は、撮影機会検出部１０３が検出したシャッターチャンスのタイミングで、撮影者が操作を行うことなく自動でシャッター操作をするものである。その他の構成については、撮影装置３と同様であるので、説明を省略する。
【００５５】
図１８のフローチャートを用いて、撮影装置６の動作例を説明する。カメラ起動（Ｓ２１）から、撮影の際に、検出した顔の角度及び携帯電話機５の角度と、予め設定してある顔の角度及び携帯電話機５の角度とが一致するかどうか比較する（Ｓ２５）動作までは、図８に示した動作と同様であるので、説明を省略する。
【００５６】
検出した角度と、設定された角度を比較し（Ｓ２５）、検出した角度情報と設定した角度情報とが一致した場合には、撮影機会検出部１０３から自動撮影手段１０６に一致したという信号が送られる。自動撮影手段１０６は、その信号を受けた場合には、撮影者の操作によらず写真撮影を行う（Ｓ３３）。
【００５７】
このような構成により、撮影者は、顔の角度及び撮影装置の角度を調整するだけで、設定した角度情報と同様の撮影状況で写真撮影することができるので、シャッター操作を行う際の手ぶれ等による撮影の失敗を防ぐことができる。
【符号の説明】
【００５８】
１〜３、６  撮影装置
４、５  携帯電話機
１０  被写体
１０１  顔角度検出部
１０２  撮影装置角度検出部
１０３  撮影機会検出部
１０４  関連記憶部
１０５  撮影機会通知手段
１０６  自動撮影手段
４０１  ＣＰＵ
４０２  ＲＯＭ
４０３  ＲＡＭ
４０４  データ処理部
４０５  送受信部
４０６  キー入力部
４０７  液晶表示部
４０８  センサ制御部
４０９  加速度センサ
４１０  カメラ制御部
４１１  カメラ
４１２  ＬＥＤ制御部
４１３  ＬＥＤ
４１４  パス制御部
４１５  スピーカー
【図１】
2011041133.tif 000003
【図２】
2011041133.tif 000004
【図３】
2011041133.tif 000005
【図４】
2011041133.tif 000006
【図５】
2011041133.tif 000007
【図６】
2011041133.tif 000008
【図７】
2011041133.tif 000009
【図８】
2011041133.tif 000010
【図９】
2011041133.tif 000011
【図１０】
2011041133.tif 000012
【図１１】
2011041133.tif 000013
【図１２】
2011041133.tif 000014
【図１３】
2011041133.tif 000015
【図１４】
2011041133.tif 000016
【図１５】
2011041133.tif 000017
【図１６】
2011041133.tif 000018
【図１７】
2011041133.tif 000019
【図１８】
2011041133.tif 000020
【図１９】
2011041133.tif 000021
【図２０】
2011041133.tif 000022